【手続補正書】
【提出日】平成21年3月2日(2009.3.2)
【手続補正１】
【補正対象書類名】特許請求の範囲
【補正対象項目名】全文
【補正方法】変更
【補正の内容】
【特許請求の範囲】
【請求項１】
ウエスト開口部と、左右一対のレッグ開口部と、ウエスト開口部の縁からレッグ開口部上端までの前後方向範囲として定まる胴回り部と、前身頃における胴回り部の下端から股間部を通り後身頃における胴回り部の下端までの範囲として定まる股部とを有する、パンツ型紙おむつにおいて、
前記股部は、前後方向前側に位置する前側部分と後側に位置する後側部分とからなり、これら前側部分と後側部分とが着脱自在に連結されており、
前記股部における前記前側部分および前記後側部分の各々には、前記前側部分および前記後側部分を連結している連結部位側の端部からウエスト部側の端部まで、ならびに前記連結部位側の端部における幅方向一方側の端部までを含むＵ字状の周縁範囲に沿って、身体側に起立するバリヤーカフスが設けられており、前記バリヤーカフスはＵ字帯状のバリヤーシートと弾性伸縮部材とからなり、前記バリヤーシートは外縁部及び両端部が固定され、中間部では非固定とされている、
ことを特徴とするパンツ型紙おむつ。
【請求項２】
ウエスト開口部と、左右一対のレッグ開口部と、ウエスト開口部の縁からレッグ開口部上端までの前後方向範囲として定まる胴回り部と、前身頃における胴回り部の下端から股間部を通り後身頃における胴回り部の下端までの範囲として定まる股部とを有する、パンツ型紙おむつにおいて、
前記股部は、前後方向前側に位置する前側部分と後側に位置する後側部分とからなり、これら前側部分と後側部分とが着脱自在に連結されており、
前記股部における前記前側部分および前記後側部分の各々には、前記前側部分および前記後側部分を連結している連結部位側の端部からウエスト部側の端部まで、前後方向に沿って身体側に起立する直線状のバリヤーカフスが設けられている、
ことを特徴とするパンツ型紙おむつ。
【請求項３】
前記股部における前記前側部分および前記後側部分の各々には、前記連結部位側の端部における幅方向一方側の端部まで、幅方向に沿って身体側に起立する直線状のバリヤーカフスが設けられている、請求項２記載のパンツ型紙おむつ。
【請求項４】
前記連結部位の連結手段として、メカニカルファスナー及び粘着材の両方が併設されており、前記粘着材は、前記連結部位の幅方向全体にわたり連続的に延在している、請求項１〜３のいずれか１項に記載のパンツ型紙おむつ。
【請求項５】
前身頃の両側部と後身頃の両側部とがそれぞれ着脱自在に接合されている、請求項１〜４のいずれか１項に記載のパンツ型紙おむつ。
【請求項６】
前記股部が前記胴回り部に対して着脱自在に連結されている、請求項１〜５のいずれか１項に記載のパンツ型紙おむつ。
【手続補正２】
【補正対象書類名】明細書
【補正対象項目名】全文
【補正方法】変更
【補正の内容】
【発明の詳細な説明】
【発明の名称】パンツ型紙おむつ
【技術分野】
【０００１】
本発明は、製品幅の調整が可能なパンツ型紙おむつに関するものである。
【背景技術】
【０００２】
一般的なパンツ型使い捨て紙おむつは、ウエスト開口部と、左右一対のレッグ開口部と、ウエスト開口部の縁からレッグ開口部上端までの前後方向範囲として定まる胴回り部と、前身頃における胴回り部の下端から股間部を通り後身頃における胴回り部の下端までの範囲として定まる股部とを有するものである。
特に、乳幼児に装着する場合は、親等が子供の足を片足ずつウエスト開口部を通してレッグ開口部に挿入するのが通常である。また大人用でも、介護者が装着を行う場合には同様である。
【特許文献１】特開２００６−１４９７４７号公報
【発明の開示】
【発明が解決しようとする課題】
【０００３】
しかし、パンツ型紙おむつにおいて、左右のレッグ開口部に対して両足を挿入するのは予想外に困難なものである。例えば、一方の足を一方のレッグ開口部に挿入した後、他方の足を他方のレッグ開口部に挿入する際、先に挿入した一方の足の動きに起因して、おむつが変形したり、他方のレッグ開口部が変形したり移動したりし、他方の足が他方のレッグ開口部になかなか入らないといった事態が発生することがある。また、特に乳幼児用途では、二本目の足を挿入する際、装着者が暴れたりすると、先に挿入した足が抜けてしまい、ひどいときにはいつまで経っても片足しか挿入できないといった事態が発生することがある。
そこで、本発明の主たる課題は、装着が容易なパンツ型紙おむつを提供することにある。
【課題を解決するための手段】
【０００４】
上記課題を解決した本発明は次記のとおりである。
＜請求項１記載の発明＞
ウエスト開口部と、左右一対のレッグ開口部と、ウエスト開口部の縁からレッグ開口部上端までの前後方向範囲として定まる胴回り部と、前身頃における胴回り部の下端から股間部を通り後身頃における胴回り部の下端までの範囲として定まる股部とを有する、パンツ型紙おむつにおいて、
前記股部は、前後方向前側に位置する前側部分と後側に位置する後側部分とからなり、これら前側部分と後側部分とが着脱自在に連結されており、
前記股部における前記前側部分および前記後側部分の各々には、前記前側部分および前記後側部分を連結している連結部位側の端部からウエスト部側の端部まで、ならびに前記連結部位側の端部における幅方向一方側の端部までを含むＵ字状の周縁範囲に沿って、身体側に起立するバリヤーカフスが設けられており、前記バリヤーカフスはＵ字帯状のバリヤーシートと弾性伸縮部材とからなり、前記バリヤーシートは外縁部及び両端部が固定され、中間部では非固定とされている、
ことを特徴とするパンツ型紙おむつ。
【０００５】
（作用効果）
本発明のパンツ型紙おむつでは、装着の際、予め股部における前側部分と後側部分とを取り外し、前側部分と後側部分とを分割した筒状状態で、先ず装着者の両足を胴回り部に通してしまい、その後、股部における前側部分と後側部分とを装着者の股間を介して連結することにより装着できる。よって、片足ずつ挿入するしかない従来のものと比べて、装着が格段に容易になる。
また、このようなバリヤーカフスが設けられていることにより、前側部分及び後側部分の連結部位からの漏れを効果的に防止できるようになる。
なお、本発明に一見類似するものとして、特開２００３−１７５０６６号公報記載の発明があるが、股部が分割されるものではなく、課題及び効果も異なるものである。
【０００６】
＜請求項２記載の発明＞
ウエスト開口部と、左右一対のレッグ開口部と、ウエスト開口部の縁からレッグ開口部上端までの前後方向範囲として定まる胴回り部と、前身頃における胴回り部の下端から股間部を通り後身頃における胴回り部の下端までの範囲として定まる股部とを有する、パンツ型紙おむつにおいて、
前記股部は、前後方向前側に位置する前側部分と後側に位置する後側部分とからなり、これら前側部分と後側部分とが着脱自在に連結されており、
前記股部における前記前側部分および前記後側部分の各々には、前記前側部分および前記後側部分を連結している連結部位側の端部からウエスト部側の端部まで、前後方向に沿って身体側に起立する直線状のバリヤーカフスが設けられている、
ことを特徴とするパンツ型紙おむつ。
【０００７】
＜請求項３記載の発明＞
前記股部における前記前側部分および前記後側部分の各々には、前記連結部位側の端部における幅方向一方側の端部まで、幅方向に沿って身体側に起立する直線状のバリヤーカフスが設けられている、請求項２記載のパンツ型紙おむつ。
【０００８】
＜請求項４記載の発明＞
前記連結部位の連結手段として、メカニカルファスナー及び粘着材の両方が併設されており、前記粘着材は、前記連結部位の幅方向全体にわたり連続的に延在している、請求項１〜３のいずれか１項に記載のパンツ型紙おむつ。
【０００９】
＜請求項５記載の発明＞
前身頃の両側部と後身頃の両側部とがそれぞれ着脱自在に接合されている、請求項１〜４のいずれか１項に記載のパンツ型紙おむつ。
【００１０】
（作用効果）
本発明の紙おむつは股部における前側部分と後側部分とを分割できるため、本項記載のように前身頃の両側部と後身頃の両側部とがそれぞれ着脱自在に接合できると、おむつを前後に分割できるようになる。よって、排泄物により汚れた部分だけ、あるいは損傷した部分だけを交換することができる。
また、本項記載の紙おむつによれば、装着者の姿勢等に応じた容易な形態での装着が可能になる。例えば、側臥した対象者に対して装着する場合、前身頃と後身頃とを一方側のみ接合した状態で、他方側の接合部を開いて腰脇に被せた後、対象者を反転させ、反対側の腰脇において他方の接合部を接合し、その前後において、股部における前側部分と後側部分とを装着者の股間を介して連結するといった装着形態を採ることができる。
【００１１】
＜請求項６記載の発明＞
前記股部が前記胴回り部に対して着脱自在に連結されている、請求項１〜５のいずれか１項に記載のパンツ型紙おむつ。
【００１２】
（作用効果）
本発明の紙おむつは股部における前側部分と後側部分とを分割できるため、本項記載のように股部を胴回り部に対して着脱自在に連結すると、股部の前側部分および後側部分を個別に取り外すことができるようになる。よって、股部のうち排泄物により汚れた部分だけ、あるいは損傷した部分だけを交換することができる。
また、本項記載の紙おむつによれば、装着者の姿勢等に応じた容易な形態での装着が可能になる。例えば、仰向けの対象者に対して装着する場合、胴回り部を腰まで通し、股部の前側部分を胴回り部に取り付けたならば、対象者を反転させてうつ伏せにし、次いで、股部の後側部分を胴回り部に取り付け、しかる後に、股部における前側部分と後側部分とを装着者の股間を介して連結するといった装着形態を採ることができる。
【発明の効果】
【００１３】
以上のとおり、本発明によれば、装着が容易になる等の利点がもたらされる。
【発明を実施するための最良の形態】
【００１４】
以下、本発明の実施の形態について添付図面を参照しつつ詳説する。
図１は、本発明に係るパンツ型紙おむつ１０を示しており、この紙おむつ１０は、図２の展開状態の内面（使用面）側平面図からも判るように、ウエスト開口部ＷＯと、左右一対のレッグ開口部ＬＯと、胴回り部Ｔと股部Ｌとを有する。
【００１５】
ここで各部名称について説明すると、先ず「前後方向」（「長手方向」）とは、前身頃Ｆ側と後身頃Ｂ側を結ぶ方向を意味し、「幅方向」とは前後方向と直交する方向を意味する。「ウエスト開口縁」とはウエスト開口部ＷＯの縁を意味し、「レッグ開口縁」とはレッグ開口部ＬＯの縁を意味する。「レッグ開口部上端」とは、換言すればレッグ開口縁と接合部１５Ｂとが交差する位置を意味し、レッグ開口縁の始まり個所である。「胴周り部」Ｔとは、ウエスト開口縁からレッグ開口までの前後方向範囲の全領域を意味する。胴周り部Ｔは、概念的に「ウエスト部」Ｗと「腰下部」Ｕとに分けることができる。これらの縦方向の長さは、製品のサイズによって異なる。「股部」Ｌとは、前身頃Ｆにおける胴回り部Ｔの下端（レッグ開口部上端）から股間部ＣＲを通り後身頃Ｂにおける胴回り部Ｔの下端（レッグ開口部上端）までの部分を意味し、レッグ開口部ＬＯを形成する範囲である。
【００１６】
胴回り部Ｔは、前身頃Ｆ側をなす部分と後身頃Ｂ側をなす部分とをおむつ両側部において接合することにより形成されている。胴回り部Ｔは、不織布により形成することができ、より好ましい形態では、複数枚の不織布を重ね合わせてホットメルト接着剤等により固定するとともに、不織布間における適所、例えばウエスト部Ｗに、弾性伸縮部材１４を幅方向に沿って伸張した状態で挟持固定することができる。弾性伸縮部材１４としては、糸ゴムや弾性発泡体の帯状物などを使用できるが、多数の糸ゴムを使用するのが望ましい。図示の形態では、糸ゴムからなる弾性伸縮部材１４が、胴回り部Ｔの全体にわたり（ウエスト部Ｗおよび腰下部Ｕの両方に）幅方向に連続して複数本平行に設けられている。腰下部Ｕに弾性伸縮部材を設ける場合には、腰下部Ｕの幅方向範囲のうち前側部分２０Ｆまたは後側部分２０Ｂと重なる範囲を除いて、その両側のみに伸縮力が作用するように設けるのが好ましい。両側のみに伸縮力が作用する形態には、幅方向両側にのみ弾性伸縮部材が存在する形態の他、腰下部Ｕの幅方向範囲全体に弾性伸縮部材が存在するが、前側部分２０Ｆまたは後側部分２０Ｂと重なる幅方向中央部においては弾性伸縮部材が切断されており、伸縮力が作用しないように構成されているものも含まれる。
【００１７】
特徴的には、股部Ｌは、前後方向前側に位置する前側部分２０Ｆと後側に位置する後側部分２０Ｂとから構成されている。前側部分２０Ｆおよび後側部分２０Ｂの各々は、図３〜図５からも判るように、身体に接触する使用面をなす液透過性トップシート１１と、液不透過性シート１３と、これらの間に介在された吸収体１２とから構成されている。
【００１８】
トップシート１１は、不織布、透液開口を有するフィルム、ネットシートなどから形成することができ、液不透過性シート１３は、ポリエチレンシート等のプラスチック製シートなどから形成することができる。液不透過性シート１３の外面には、胴回り部Ｔの外面と同様の不織布を貼り合わせることができる。吸収体１２としては、綿状パルプ等のように短繊維を積繊したものの他、フィラメントの集合体からなるもの等も使用できる。フィラメントの集合体は、セルロースアセテート等のトウ（繊維束）を開繊することにより形成することができる。吸収体１２には、必要に応じて高吸収性ポリマー（ＳＡＰ）を含有させたり、クレープ紙等により包んだりすることができる。
【００１９】
また、特徴的には、図５、図７および図８からも判るように、前側部分２０Ｆの後端部２１Ｆと後側部分２０Ｂの前端部２１Ｂとが連結手段により着脱自在に連結される。連結手段は適宜選択することができるが、製造容易性の観点から、メカニカルファスナー（面ファスナー）や、粘着材等が好適である。メカニカルファスナーの場合、シート表面の全体に茸状、Ｊ字状等のフックが多数配列された雄材を一方の連結部位２１Ｆに設け、この雄材が絡まり係止される雌材を他方の連結部位２１Ｂに設けることができる。雌材としては、シート表面の全体に多数のループが形成されたものを用いることができる。また、雄材が係止される連結部位２１Ｂを不織布により形成しておくことにより、この不織布を雌材として利用することもできる。メカニカルファスナーの雄材及び雌材はホットメルト接着剤等により前側部分２０Ｆまたは後側部分２０Ｂに接着固定することができる。
【００２０】
粘着材を用いる場合、前側部分２０Ｆおよび後側部分２０Ｂの各連結部位２１Ｆ，２１Ｂのうち、いずれか一方に粘着材層を設け、他方の連結部位は素材そのものにより形成しても良いが、粘着剤が剥離及び再接着可能なように粘着する樹脂フィルムを設けるのが好ましい。樹脂フィルムはホットメルト接着剤等により前側部分２０Ｆまたは後側部分２０Ｂに接着固定することができる。
【００２１】
前側部分２０Ｆと後側部分２０Ｂとの連結位置は適宜定めることができるが、股間部ＣＲに位置しているのが好ましい。製品における股間部ＣＲは、一概に言えるものではないが、通常の製品では前後方向中央部及びその近傍の部分として定まるものである。具体的な連結位置は、製品を長手方向に３分割したときの中央領域に含まれるように配置することができる。
【００２２】
図示形態では、後側部分２０Ｂを内側、前側部分２０Ｆを外側として、後側部分２０Ｂの外面と前側部分２０Ｆの内面とを重ね合わせて接合する形態を採用しているが、内外は反対でも良く、また、後述する接合部１５と同様に合掌状態で連結するように構成することもできる。図示形態のように前側部分２０Ｆおよび後側部分２０Ｂを重ね合わせる場合、前側部分２０Ｆの吸収体１２と後側部分２０Ｂの吸収体１２とは、連結部をすっきりさせる上では重ならないほうが望ましいが、股間部ＣＲの吸収性を向上させるため、ある程度、例えば１〜５ｃｍ程度重なるように構成してもよい。
【００２３】
また、本実施形態の紙おむつでは、図６及び図８に示されるように、前身頃Ｆの両側部１５Ｆと後身頃Ｂの両側部１５Ｂとを接合する接合部１５が、それぞれ着脱自在に接合される。この接合手段は適宜選択することができるが、前述した股部Ｌにおけるものと同様に、メカニカルファスナー（面ファスナー）や、粘着材等を好適に用いることができる。メカニカルファスナーの場合、前身頃Ｆおよび後身頃Ｂの各内面両側部１５Ｆ，１５Ｂのうちいずれか一方に雄材を設け、この雄材が絡まり係止される雌材を他方に設けることができる。他方における雄材係止部分を不織布により形成しておくことにより、この不織布を雌材として利用することもできる。
【００２４】
粘着材を用いる場合、前身頃Ｆおよび後身頃Ｂの各内面両側部１５Ｆ，１５Ｂのうちいずれか一方に粘着材層を設け、他方は素材そのものにより形成しても良いが、粘着剤が剥離及び再接着可能なように粘着する樹脂フィルムを設けるのが好ましい。
【００２５】
接合部１５は、ヒートシールやホットメルト接着等により着脱不能に接合することもできる。
【００２６】
図１等に示す形態の接合部１５では、図６（ａ）に示すように、前身頃Ｆの側部１５Ｆと後身頃の側部１５Ｂとを合掌状態で接合する形態を採用しているが、図６（ｂ）に示すように、一方を内側、他方を外側として、一方の外面と他方の内面とを重ね合わせて接合する形態を採用することもできる。
【００２７】
さらに、本実施形態の紙おむつでは、図４および図８にも示されるように、股部Ｌ、つまりその構成部品である前側部分２０Ｆおよび後側部分２０Ｂが、それぞれ外面上端部２２Ｆ，２２Ｂにおいて、胴回り部Ｔ内面の幅方向中央部の下端部２３Ｆ，２３Ｂに対して着脱自在に連結されている。図示例では、前側部分２０Ｆおよび後側部分２０Ｂを胴回り部Ｔの内面に重ねて連結しているが、反対に胴回り部Ｔの外面に重ねて連結しても良い。
【００２８】
胴回り部Ｔに対する連結手段としては、前述した股部Ｌにおけるものと同様に、メカニカルファスナー（面ファスナー）や、粘着材等を好適に用いることができる。メカニカルファスナーの場合、前身頃Ｆおよび前側部分２０Ｆの各連結部位２３Ｆ，２２Ｆのうちいずれか一方、ならびに後身頃Ｂおよび後側部分２０Ｂの各連結部位２３Ｂ，２２Ｂのうちいずれか一方に雄材をそれぞれ固定し、この雄材が絡まり係止される雌材を他方に固定することができる。他方における雄材係止部分を不織布により形成しておくことにより、この不織布を雌材として利用することもできる。
【００２９】
粘着材を用いる場合、前身頃Ｆおよび前側部分２０Ｆの各連結部位２３Ｆ，２２Ｆのうちいずれか一方、ならびに後身頃Ｂおよび後側部分２０Ｂの各連結部位２３Ｂ，２２Ｂのうちいずれか一方に粘着材層を設け、他方は素材そのものにより形成しても良いが、粘着剤が剥離及び再接着可能なように粘着する樹脂フィルムを設けるのが好ましい。
【００３０】
汎用されているパンツ型紙おむつと同様に、股部Ｌを胴回り部Ｔと一体的に形成する等により、胴回り部Ｔに対して着脱不能に形成することもできる。
【００３１】
他方、一般的な紙おむつでは、横漏れ防止を目的とし、前後方向に沿って延在するバリヤーカフスを製品の幅方向両側にそれぞれ設けているが、本発明でもこれを採用することができる。この場合、本発明では股部Ｌの前側部分２０Ｆおよび後側部分２０Ｂが分割されるため、これらのバリヤーカフスは前側部分２０Ｆおよび後側部分２０Ｂの各々に設けることになる。しかし、単に汎用タイプのバリヤーカフスを設けた場合、バリヤーカフスの前後端部は起立しないように固定されるため、前側部分２０Ｆおよび後側部分２０Ｂの境界部分近傍、つまり特に漏れが発生し易い股部Ｌにおいて前側部分２０Ｆのバリヤーカフスと後側部分２０Ｂのバリヤーカフスとが起立しない部分が生まれてしまう。
【００３２】
また、股部Ｌの前側部分２０Ｆおよび後側部分２０Ｂの連結部位を介して漏れが生じるおそれもある。
【００３３】
そこで、より好ましくは、図２〜図５に示すように、前側部分２０Ｆおよび後側部分２０Ｂの各々の内面に対し、幅方向両側部における連結部位２１Ｆ，２１Ｂ側の端部からウエスト部Ｗ側の端部まで、ならびに連結部位２１Ｆ，２１Ｂ側の端部における幅方向一方側の端部から他方側の端部までを含むＵ字状の周縁範囲に沿って、身体側に起立するバリヤーカフス３０，３０が設けられる。
【００３４】
より詳細には、前側部分２０Ｆおよび後側部分２０Ｂの各々におけるＵ字状の周縁範囲に沿って、所定幅のＵ字帯状のバリヤーシート３１が配置されており、このバリヤーシート３１の外縁部３１ａはホットメルト接着等によりトップシート１１表面に固定され、内縁側部分３１ｂは、ウエスト部Ｗ側の両端部３３，３３ではホットメルト接着等によりトップシート１１表面に固定され、中間部では非固定とされている。また、バリヤーシート３１は、少なくともこの非固定部分（または全体）が二重に形成されており、この二重のシート間に、糸ゴム等の細長状弾性伸縮部材３２が伸張状態で長手方向に沿って挟持固定されている。バリヤーシート３１としては撥水性不織布を好適に用いることができる。使用時には、弾性伸縮部材３２の収縮力によりバリヤーシート３１の非固定部分がトップシート１１から離間するように起立し、幅方向両側部に沿う部分３０Ｌ，３０Ｌが装着者の脚回りに密着し、連結部位２１Ｆ，２１Ｂ側端部に沿う部分３０Ｃも装着者の身体に密着する。その結果、前者の部分３０Ｌ，３０Ｌにより、トップシート２１上を伝って横方向に移動する排泄物が阻止され、横漏れが防止されるとともに、後者の部分３０Ｃにより、前側部分２０Ｆ及び後側部分２０Ｂの連結部位２１Ｆ，２１からの漏れも防止される。
【００３５】
図９は、連続製造を考慮した形態を示している。より詳細には、前側部分２０Ｆおよび後側部分２０Ｂの各々において、幅方向両側の弾性伸縮部材３２，３２が、内面側に位置する部分（図示例では前側部分２０Ｆ）における連結部位２１Ｆ側の端縁に近づくほど幅方向中央側に位置するように湾曲し、かつその端縁における幅方向中央で交差するように配置されている。このような湾曲交差配置を採用すると、製品前後方向をＭＤ方向としてバリヤーシート３１の素材をライン搬送しつつ、このバリヤーシート素材上に対し、弾性伸縮部材３２，３２をＣＤ方向の幅方向一端部側から他端部側に往復揺動させながら供給して配置し、さらにその上にバリヤーシート素材を被せた後、前側部分用と後側部分用との境界で順次切断することにより、バリヤーカフス３０，３０を製造ラインで連続製造できる。
【００３６】
他方、図示形態のバリヤーカフス３０では、幅方向両側部に沿う部分３０Ｌ，３０Ｌと連結部位側端部に沿う部分３０ＣとをＵ字状に一体形成しているが、直線状の汎用的なバリヤーカフスを幅方向両側部に沿う部分３０Ｌ，３０Ｌおよび連結部位側端部に沿う部分３０Ｃに個別に設けることもできる。
【００３７】
（他の形態）
（イ）各連結部位の連結手段として、メカニカルファスナーおよび粘着材の両方を併設することができる。メカニカルファスナーは接合力（剥離・剪断）は強いが密閉性に劣る。一方、粘着材は接合力は弱いが接合部分の密閉性が高い。よって、両者を併設することにより、メカニカルファスナーにより強力な連結を可能としながらも、粘着材により連結部位の密閉性を確保することができる。この観点から、このような併用は、股部Ｌにおける前側部分２０Ｆと後側部分２０Ｂとの連結部位２１Ｆ，２１Ｂに適用するのが好ましい。また、粘着材層が連結部位２１Ｆ，２１Ｂの幅方向全体にわたり連続的に延在しているのが好ましい。さらに、図５に示されるように、粘着材層Ｎは、前側部分２０Ｆの連結部位２１Ｆおよび後側部分２０Ｂの連結部位２１Ｂのうち内面側に重ねられた方の先端側に設けられ、基端側にメカニカルファスナーＦが設けられるのが好ましい。
（ロ）本発明のパンツ型紙おむつにおいては、前側部分及び後側部分の少なくとも一方、好ましくは両方に、排泄を知らせる表示手段が設けられているのは好ましい。このような表示手段は、例えば、液不透過性シート１３の内面（吸収体１２側面）に、水分により変色する組成物を塗布することにより設けることができる。
【産業上の利用可能性】
【００３８】
本発明は、パンツ型紙おむつに適用されるものである。
【図面の簡単な説明】
【００３９】
【図１】パンツ型紙おむつの斜視図である。
【図２】パンツ型紙おむつの展開状態平面図である。
【図３】図２の３−３断面図である。
【図４】図２の４−４断面図である。
【図５】図２の５−５断面図である。
【図６】側部接合部を示す要部拡大平面図である。
【図７】パンツ型紙おむつの側面図である。
【図８】パンツ型紙おむつの分解斜視図である。
【図９】要部平面図である。
【符号の説明】
【００４０】
１０…パンツ型使い捨ておむつ、１１…トップシート、１２…吸収体、１３…バックシート、１４…弾性伸縮部材、１５…接合部、２０Ｆ…前側部分、２０Ｂ…後側部分、２１Ｆ，２１Ｂ…連結部位、２２Ｆ，２２Ｂ…連結部位、２３Ｆ，２３Ｂ…連結部位、ＣＲ…股間部、Ｘ…前後方向中央線。